(57)【特許請求の範囲】
【請求項１】
上面に製造に関する情報が記載されたボタン型の電池と、
前記電池を収容する凹部である電池収容部と、前記電池収容部の底面に下面側導通用開口を有する絶縁性のホルダーと、
前記電池の上面の周縁部において、前記電池を前記ホルダーとの間に挟み込み固定し、前記電池の前記製造に関する情報を視認可能に露出させ、前記電池の平面視外側に延び、前記ホルダーに固定される固定部を有する導電性の押えと、
を備えた電池パッケージと、
導電性の電池パッケージ押えと、
前記ホルダーおよび前記押えを貫通するネジにより、前記電池パッケージを前記電池パッケージ押えとの間に挟み込むようにして保持固定するムーブメント本体と、
前記電池パッケージ及び前記ムーブメント本体を収容する外装ケースと、
を備えた電子時計。
【請求項２】
前記押えは、前記電池の側面に接触して導通する側面導通部を有する請求項１記載の電子時計。
【請求項３】
前記押えは、前記電池の上面中央部を露出させる請求項１又は２記載の電子時計。
【請求項４】
前記電池の下面に取り付けられた、前記下面側導通用開口を貫通する端子を有する請求項１乃至３のいずれかに記載の電子時計。
【請求項５】
前記ムーブメント本体は、前記下面側導通用開口を貫通する端子を有する請求項１乃至３のいずれかに記載の電子時計。
【請求項６】
前記ホルダーは、前記ムーブメント本体に設けられた検査電極を露出させる検査用開口を有し、前記検査用開口の周囲には凸部が設けられている請求項１乃至５のいずれかに記載の電子時計。
【請求項７】
前記ホルダーは、前記外装ケースと厚み方向に弾性的に突き当たる弾性変形部を有する請求項１乃至６のいずれかに記載の電子時計。
【請求項８】
前記ホルダーは、外周面から部分的に突出する凸部により前記外装ケースと径方向に接触する請求項１乃至７のいずれかに記載の電子時計。
【請求項９】
前記ホルダーは、上面側導通用開口を有し、
前記ムーブメント本体は、前記上面側導通用開口を貫通し前記押えに弾性的に接触する端子を有する請求項１乃至８のいずれかに記載の電子時計。
【発明の詳細な説明】
【技術分野】
【０００１】
本発明は、電子時計に関し、特にリチウム二次電池等の高エネルギー密度を有する電池を備えた電子時計に関する。
【背景技術】
【０００２】
腕時計、懐中時計等の小型携帯式の電子時計に用いられる電源としての電池は、小型であることが要請されるため、一次電池二次電池を問わずボタン型のものが主流である。特許文献１には、電子時計に用いられる二次電池の保持構造であって、ボタン型二次電池をプラスチック製時計構成部品と押え部材とで挟み込み、ボタン型二次電池を当該押え部材で覆うとともに、時計構成部品と押え部材とをカシメ固定したものが記載されている。
【先行技術文献】
【特許文献】
【０００３】
【特許文献１】特許第３６６７８９０号公報
【発明の概要】
【発明が解決しようとする課題】
【０００４】
近年、腕時計等の小型携帯式の電子時計において高機能化が進んでいる。そして、このような高機能化により追加される機能の中には、電子時計の消費電力を著しく増大させるものがある。そのようなものの例として、ＧＰＳ（Ｇｌｏｂａｌ  Ｐｏｓｉｔｉｏｎｉｎｇ  Ｓｙｓｔｅｍ）等に代表される全地球測位システムにおいて用いられる極超短波を受信する機能や、いわゆる無線ＬＡＮやｂｌｕｅｔｏｏｔｈ（商標）などの通信機能等の高周波送受信機能が挙げられる。これらは、極超短波の送受信を行うための高周波回路及びデコーダ回路を動作させなければならないため、電子時計の一時的な消費電力が大きい。
【０００５】
このような機能に対し十分な電力を供給するためには、小型でかつ大電力を供給可能な電池を用いなければならない。このような電池の代表的なものとして、リチウム二次電池がある。
【０００６】
ここで、リチウム二次電池等の、エネルギー密度の高い電池は、正極と負極を短絡させると大きな発熱を生じるため、その取扱いには十分な注意を払わなければならない。この点について、一般的なボタン型電池は、外装自体が電極となっており、また、正極と負極とがわずかな隙間を開けて隣接しているため、不用意にピンセット等の金属が触れるだけで両極が短絡する恐れがある。このような取り扱い時の危険性は、前述の特許文献１に記載された電池保持構造を用いることにより、ボタン型のリチウム二次電池の場合においても相当程度低減されると考えられる。
【０００７】
しかしながら、リチウム二次電池は、その特性として充電禁止電圧をもっており、電圧がかかる充電禁止電圧を下回ったリチウム二次電池に対しては充電が禁止される。そのため、リチウム二次電池は、個々の電池に対してその在庫保有期間や、充電禁止電圧を下回ったかどうかの履歴を管理する必要がある。ボタン型リチウム二次電池では、通常、製造番号、製造ロット、製造日等の製造に関する情報は、正極の上面に記載又は刻印されるが、特許文献１の電池保持構造では、押え部材が電池を覆うため、電池の製造に関する情報が視認できず、電池個別の管理が難しい。
【０００８】
また、リチウム二次電池は、一般に小型携帯式の電子時計に使用される電池より大型で重量も大きく、特許文献１の電池保持構造のように、カシメにより押え部材を支持する構造だと、リチウム二次電池に衝撃力等の外力が作用した場合に、カシメによる保持固定部が破損し、リチウム二次電池が時計構成部品から脱離する恐れがある。
【０００９】
なお、上述の議論は必ずしも二次電池のみを対象とするものではなく、個別の製造日等の管理を必要とするエネルギー密度の高い、あるいはエネルギー保持量の大きい大型の一次電池にも同様にあてはまる。
【００１０】
本発明はかかる事情に鑑みてなされたものであり、その解決しようとする課題は、エネルギー密度の高いボタン型電池の取り扱い時の安全性を確保しつつ、電池の個別の管理を可能とし、かつ、衝撃力等の外力に対しても強固な構造の電池パッケージを備えた電子時計を提供することである。
【課題を解決するための手段】
【００１１】
上記課題を解決するために、本発明に係る電子時計は、上面に製造に関する情報が記載されたボタン型の電池と、前記電池を収容する凹部である電池収容部と、前記電池収容部の底面に下面側導通用開口を有する絶縁性のホルダーと、前記電池の上面の周縁部において、前記電池を前記ホルダーとの間に挟み込み固定し、前記電池の前記製造に関する情報を露出させ、前記電池の平面視外側に延び、前記ホルダーに固定される固定部を有する導電性の押えと、を備えた電池パッケージと、導電性の電池パッケージ押えと、前記ホルダーおよび前記押えを貫通するネジにより、前記電池パッケージを前記電池パッケージ押えとの間に挟み込むようにして保持固定するムーブメント本体と、前記電池パッケージ及び前記ムーブメント本体を収容する外装ケースと、を備える。
【発明の効果】
【００１２】
上記本発明によれば、エネルギー密度の高いボタン型電池の取り扱い時の安全性を確保しつつ、電池の個別の管理を可能とし、かつ、衝撃力等の外力に対しても強固な構造の電池パッケージを備えた電子時計が提供される。
【図面の簡単な説明】
【００１３】
【図１】本発明の実施形態に係る電子時計の平面図である。
【図２】本実施形態の電子時計のムーブメントの斜視図である。
【図３】電池パッケージの上面斜視図である。
【図４】ホルダーの上面斜視図である。
【図５】図４のＶ−Ｖ線による断面図である。
【図６】図４のＶＩ−ＶＩ線による断面図に、ムーブメント本体と外装ケースの断面を付け加えたものである。
【図７Ａ】電池の上面斜視図である。
【図７Ｂ】電池の下面斜視図である。
【図８】押えの上面斜視図である。
【図９】電池パッケージ押えの上面斜視図である。
【図１０】図２のＶＩＩＩ−ＶＩＩＩ線による断面図である。
【図１１】図２のＩＸ−ＩＸ線による断面図である。
【図１２】図２のＸ−Ｘ線による断面図である。
【図１３】本発明の実施形態の変形例を示す図８に対応する断面図である。
【図１４】本発明の実施形態のさらなる変形例を示す図８に対応する断面図である。
【発明を実施するための形態】
【００１４】
図１は、本発明の実施形態に係る電子時計１を示す平面図である。この実施形態では、電子時計１を腕時計として示したが、小型携帯式のものであれば他の形式、例えば懐中時計であっても差し支えない。
【００１５】
図中符号２は外装ケースであり、その１２時位置と６時位置にはバンド取付部３が設けられている。また、電子時計１の３時側側面には、竜頭４が設けられている。なお、同図中において、電子時計１の１２時方向は図中上方向であり、６時方向は図中下方向となっている。
【００１６】
電子時計１は図示のとおり指針式であり、時針、分針、秒針が電子時計１の中央位置を回転中心として、同軸に設けられている。なお、本実施形態では秒針が時針と同軸となっているが、クロノグラフ型の時計のように、秒針をいわゆるクロノ針に置き換え、秒針を副針として任意の位置に配置してもよい。また、文字板の６時位置には、日窓が設けられ、日車上に表示された日付表示が視認されるようになっている。なお、本実施形態の電子時計１はいわゆる電波時計であり、外装ケース２の文字板の外側の位置には、ユーザに受信状態を知らせるための表示５が刻印又は印刷されている。時刻情報を含んだ電波、本実施形態では、全地球測位システムにおける人工衛星からの電波の受信中及びその前後には、秒針がこれらの表示５のいずれかを指し示す。
【００１７】
図２は、本実施形態の電子時計１のムーブメント６の斜視図である。ムーブメント６は、ムーブメント本体７と、電池パッケージ８とからなっている。ここで、ムーブメント本体７とは、電子時計１のムーブメント６から、電源関連部品、すなわち、後述する電池パッケージ８を取り除いたものであり、時計回路を含む電子回路基板、モータ、輪列やそれらを保持する地板と呼ばれる枠を含む。図中右側に見えているのは竜頭４（図１参照）を取り付ける巻芯９である。なお、本発明を説明する上で、ムーブメント６の構造は重要でないため、図２ではムーブメント６の詳細な部分については省略して簡明に表現している。電池パッケージ８とは、電池１０及び、電池１０をムーブメント本体７に取り付けるための構造部品及び電極を一体に構成した部材であり、図２には、電池１０のほかに、ホルダー１１及び押え１２が見えている。電池パッケージ８は、電池パッケージ押え１３を介し、ネジ１４によりムーブメント本体７に固定される。なお、ホルダー１１の外周の構造は続く図３及び４に示されるように複雑な構造を有しているが、図２では、ムーブメント本体７と電池パッケージ８との区別を明瞭とするため、簡略化して図示している。また、本明細書では、ムーブメント６において電池パッケージ８を取り付ける側の面を上面、その反対側の面を下面と呼ぶこととする。したがって、同図は、ムーブメント６の上面を斜め上から見下ろした斜視図である。この向きを図１に示した電子時計１で言うならば、上面は電子時計１の裏蓋側に向く面であり、下面は電子時計１の風防側に向く面であることになる。
【００１８】
図３は、電池パッケージ８の上面斜視図である。電池１０は図示の通りボタン型の電池であり、本実施形態ではリチウム二次電池である。図に見えている電池１０の上面及び側面は電極となっており、この例では正極である。図に表れない電池１０の下面は負極である。しかしながら、極性には特に限定はなく、これを逆にしてもよい。便宜上、以降では上面側の極性を持つ電極を上面電極、下面側の電極をもつ電極を下面電極と呼ぶ。また、電池１０の上面中央部の破線枠で示した位置には、電池１０の製造に関する情報１５が印刷、刻印又はレーザマーキング等の方法により表示されている。ここで、製造に関する情報１５には種々のものがあるが、少なくとも製造番号、製造ロット番号、製造日の少なくとも一つは、押え１２に覆い隠されることなく露出している。これらは、電池１０の在庫管理や履歴管理をする上で重要であるため、視認できる必要があるからである。なお、製造に関する情報１５としては、製造番号等の電池１０の個体を識別できる情報であることが好ましい。なお、製造に関する情報１５は、数字によるものに限定されず、いかなる方式で符号化されていても差しつかえない。数字による番号以外にも、アルファベットを用いた番号であっても、一次元あるいは二次元バーコードであってもよい。
【００１９】
押え１２は、導電性、好ましくは金属性の部材であり、電池１０をホルダー１１に保持固定する。押え１２からは、電池１０の平面視外側に延びる固定部１６が設けられており、固定部１６を接合部１７によりホルダー１１に接合することにより、押え１２はホルダー１１に固定される。接合部１７による接合方法は、カシメ又はリベットのような、分解不能接合であることが好ましい。ここで、分解不能接合とは、塑性変形あるいは破壊を伴わない限り分解することができないような接合方法を指している。本実施形態では、カシメにより接合部１７の接合が行われている。具体的には、ホルダー１１に形成された円柱状その他の形状の突起を、押え１２に形成された穴に差し込み、突起の先端を加熱した工具を押し当てるなどして変形させ、押え１２に形成された穴から突起を抜き取ることができないようにするとよい。このようにホルダー１１に固定された押え１２は、図示のように電池１０の上面の周縁部において電池１０をホルダー１１との間に挟み込み、電池１０を保持固定している。そのため、電池１０の上面中央部は露出しており、製造に関する情報１５が視認可能に露出する。また、電池１０は使用や気温の変化に伴い、膨張や収縮することがあるが、その寸法変化は上面中央部における電池１０の厚さ方向に関して最も大きい。この部分を避けて保持することにより、電池１０の寸法変化を許容しつつ、その脱離が防止される。
【００２０】
ホルダー１１は、絶縁性の部材であり、好ましくは熱可塑性の合成樹脂の成型品である。ホルダー１１が熱可塑性であることは、前述の接合部１７においてカシメを行うために必要であるが、接合部１７の接合方法によっては必ずしも熱可塑性でなくともよい。ホルダー１１の外形は、ムーブメント６（図２参照）の外形と略等しく、概ね円形である。ホルダー１１にはいくつかの貫通穴が設けられるが、図３では、上面側導通用開口１８及び検査用開口１９が見えている。
【００２１】
図４は、ホルダー１１の上面斜視図である。図中向かって右側には、外形がほぼ円形の凹部が見えているが、これは、電池１０を収容する電池収容部２０である。電池収容部２０の底面には、貫通穴である下面側導通用開口２１が設けられている。また、突起２２は、前述したとおり、カシメにより接合部１７（図３参照）を形成するためのものである。また、検査用開口１９の周囲には、検査用開口１９を取り囲むようにホルダー１１の上面に突き出す凸部２３が設けられている。これらの貫通穴については後述する。
【００２２】
また、ホルダー１１の外周には図示のように段が全周に設けられており、その上面の外径より若干大きい外形のフランジ４６が形成されている。フランジ４６の上面外縁部の適宜の位置には、複数の弾性変形部４７が設けられている。また、フランジ４６の外周面上の適宜の位置には、径方向に突き出す複数の凸部４８が設けられている。
【００２３】
図５は、図４のＶ−Ｖ線による断面図である。弾性変形部４７は、フランジ４６の厚みが部分的に薄くなった薄肉部４９と、薄肉部４９の上面側に設けられた突起５０より構成されている。この弾性変形部４７は、フランジ４６の上面に別の部材（後述するように、裏蓋の下面）が配置された際に、かかる別の部材に突起５０が突き当たり、薄肉部４９が下側に向かい弾性変形することにより、ホルダー１１を下方向に押し付ける働きをするものである。この構造により、電池パッケージ８を備えたムーブメント６（図２参照）は、外装ケース２内部において風防側に向かって弾性的に押し付けられ、その厚み方向（スラスト方向）に関してガタを生じることなく固定される。なお、ここで示した弾性変形部４７の形状及び構造は一例であり、フランジ４６の上面側から作用する力に対し弾性変形する構造であれば、他の形状及び構造を採用してもよい。
【００２４】
図６は、図４のＶＩ−ＶＩ線による断面図に、ムーブメント本体７と外装ケース２の断面を付け加えたものである。外装ケース２は、胴５１と裏蓋５２より形成されており、裏蓋５２の下側に円筒形状に突き出すネジ突起５３の外周面に形成された周面ネジにより、胴５１と裏蓋５２は互いに固定される。また、ネジ突起５３の下面とフランジ４６の上面は、先の図５に示した弾性変形部４７において互いに突き当たる。さらに、フランジ４６の外周面に部分的に突出するよう形成された凸部４８において、ホルダー１１と胴５１の内周面が突き当たる。ここで、凸部４８はその幅が狭いため、ホルダー１１と胴５１の内面との間に若干の寸法誤差が存在したとしても、凸部４８が弾性又は塑性変形することによりかかる誤差は吸収される。その結果、電池パッケージ８を備えたムーブメント６（図２参照）は、外装ケース２の内部において、その径方向（ラジアル方向）に関してガタを生じることなく固定される。
【００２５】
上述のように、本実施形態では、ムーブメント６を外装ケース２の内部に固定するにあたり、電池パッケージ８のホルダー１１に形成された弾性変形部４７及び凸部４８がそれぞれ厚み方向、径方向に外装ケース２に接触してムーブメント６を支持する構造となっている。これは、電子時計１に衝撃等の外力が作用した場合に、重量のある電池１０を含む電池パッケージ８に大きな慣性力が作用することから、電池パッケージ８自体を直接外装ケース２に対し固定することでムーブメント６の破損、例えば、ムーブメント本体７から電池パッケージ８が脱離する等の事故を防止しているのである。
【００２６】
なお、ここで示したムーブメント６を外装ケース２の内部に固定する構造は一例であり、必要に応じて適宜変更を施してもよい。例えば、ムーブメント６の径方向の固定を行う凸部４８をフランジ４６の外周面ではなく、ホルダー１１の上面の外周面に設け、裏蓋５２のネジ突起５３の内周面と突き当たるようにしてもよい。あるいは、弾性変形部４７をフランジ４６ではなく、ホルダー１１の上面に設け、裏蓋５２の下面に直接突き当たるようにする等してもよい。
【００２７】
図７Ａは、電池１０の上面斜視図である。電池１０の上面中央部には、前述の通り製造に関する情報１５が表示されている。また、電池１０の上面及び側面は、上面電極２４となっている。
【００２８】
図７Ｂは、電池１０の下面斜視図である。電池１０の下面には、上面電極２４と隔てて下面電極２５が設けられているが、本実施形態では、下面電極２５に金属性のリード板２６が取り付けられている。リード板２６は、下面側端子２７を有しており、下面側端子２７は図示のように電池１０の下面側に突出している。下面側端子２７は、図４に示すホルダー１１の下面側導通用開口２１に応じた形状となっており、電池１０がホルダー１１に固定された際に、下面側端子２７が下面側導通用開口２１を貫通してホルダー１１の下面側に突出するようになっている。舌部２８は、電池１０をホルダー１１の電池収容部２０に収容する際に、電池１０の向きをそろえるための構造であり、電池収容部２０には、舌部２８と対応する形状のくぼみが設けられている。リード板２６は、溶接部２９により下面電極２５に溶接により固定されている。なお、他の固定方法、例えばロウ付けなどでもよい。
【００２９】
図８は、押え１２の上面斜視図である。押え１２は本実施形態では、金属板をプレス加工により打ち抜き、曲げたものである。押え１２が電池１０の上面と接する部分の外周にあたる位置には、段差３０が形成されており、電池１０と押え１２との位置合わせが容易になっている。また、固定部１６には、それぞれ突起貫通穴３１が設けられているが、これは、ホルダー１１の突起２２（図４参照）を貫通させ、その後突起２２を変形させることによりかしめ、接合部１７（図３参照）を形成するためのものである。固定部１６には、さらに、孔３２がそれぞれ設けられている。また、押え１２には、本実施形態では３か所に、電池１０の側面に弾性的に押し付けられることにより電気的な導通をとる側面導通部３３が設けられている。これは、前述のとおり、電池１０は使用や気温の変化により膨張あるいは収縮するところ、電池１０の外周部、すなわち、側面の寸法はほとんど変化しないことから、側面において導通をとることにより、接触不良の発生を低減するためである。なお、側面導通部３３の数は特に限定はないが、複数とした方がより接触不良の発生を低減させることができるため好ましい。
【００３０】
図９は、電池パッケージ押え１３の上面斜視図である。電池パッケージ押え１３は、ネジ止めにより電池パッケージ８をムーブメント本体７に固定するとともに（図２参照）、電池１０の上面電極２４をムーブメント本体７の基板に導通させる。電池パッケージ押え１３もまた、金属板をプレス加工等により打ち抜き曲げることにより作成してよい。
【００３１】
電池パッケージ押え１３には、複数のネジ穴３４及び３５が設けられており（図示の例では５か所）、ネジ１４により電池パッケージ押え１３をムーブメント本体７にネジ止めし、電池パッケージ押え１３とムーブメント本体７とで電池パッケージ８を挟み込むようにして電池パッケージ８を保持固定する（図２参照）。このうち、ネジ穴３５は、押え１２の孔３２と対応する位置に設けられているため、この部分においては、ネジ１４はホルダー１１および押え１１を貫通して、電池パッケージ８を固定することになる。このため、電池パッケージ押え１３が押え１２に強く押し付けられ、両者の導通が確実に取られる。また、図６において説明したように、押え１２の孔３２は、固定部１６に設けられている。そのため、電池１０は、突起貫通穴３１に設けられる接合部１７による固定だけでなく、孔３２におけるネジ止めによってもホルダー１１に保持固定されることとなり、衝撃や振動などの外力が作用した場合にも電池１０の脱離を効果的に防止する。
【００３２】
舌部３６は、電池１０の上面に接触して導通をとるための部分である。ネジ穴３５周辺における導通と併せ、二重の導通を確保している。上面側端子３７は、下面側に大きく曲げられており、ホルダー１１の上面側導通用開口１８（図４参照）を貫通してホルダー１１の下面側に突出する。また、接地端子３８は上面側に曲げられており、ムーブメント６が電子時計１に組み込まれた際に、外装ケース２の例えば裏蓋に接触し、接地電位をとる。開口３９は、ホルダー１１の凸部２３よりやや大きい開口となっており、凸部２３が挿入される。
【００３３】
図１０は、図２のＸ−Ｘ線による断面図である。同図には、ムーブメント本体７を構成する地板４０、第１回路基板４１、回路支持台４２、第２回路基板４３及びネジパイプ４４が示されている。回路支持台４２は、第１回路基板４１及び第２回路基板４３とを絶縁しつつ隔て指示するための部材であり、合成樹脂等の絶縁材料を成型することにより製造されている。同図には、ネジパイプ４４にネジ止めされたネジ１４により、電池パッケージ押え１３、押え１２、ホルダー１１及びムーブメント本体７が共締めされ固定されている様子が示されている。また、接合部１７により、ホルダー１１と押え１２とが分解不能接合されている様子も示されている。また、リード板２６の下面側端子２７が、ホルダー１１の電池収容部２０の底面に設けられた下面側導通用開口２１を貫通して、第１回路基板４１に接触し導通している様子が見て取れる。さらに、電池パッケージ押え１３の舌部３６が電池１０の上面に接触している。
【００３４】
なお、同図に示すように、ホルダー１１の電池収容部２０により、回路支持台４２は左右２つの部材に分割されている。これは、できる限りムーブメント６を薄型にするためであるが、左右の回路支持台４２を接続して１つの部材としてもよい。その場合、回路支持台４２には、下面側端子２７が貫通する貫通穴を設けておくことになる。
【００３５】
図１１は、図２のＸＩ−ＸＩ線による断面図である。同図には、電池パッケージ押え１３の上面側端子３７がホルダー１１の上面側導通用開口１８を貫通し、ムーブメント本体７の第２回路基板４３に接触し導通している様子が示されている。
【００３６】
図１２は、図２のＸＩＩ−ＸＩＩ線による断面図である。同図には、ホルダー１１の検査用開口１９の断面が示されている。検査用開口１９により露出しているムーブメント本体７の第２回路基板４３上面には、検査用電極４５が設けられている。この検査用電極４５は、下面電極と導通するようになっているため、電池パッケージ８がムーブメント６に組み付けられている状態でも（図２参照）テスターなどを用いて電池１０の電圧を検査できる。このとき、電池パッケージ押え１３は電池１０の上面電極と導通しているが、凸部２３により、テスターが検査用電極４５と電池パッケージ押え１３に同時に接触して短絡することを妨げる。また、検査用開口１９内にネジなど導電性の部材を落とした場合にも、凸部２３により、かかる部材が検査用電極４５と電池パッケージ押え１３に同時に接触するのを妨げるため、短絡の危険が低減される。なお、凸部２３の高さ、すなわち、ホルダー１１の上面からの突出長さは、電池パッケージ押え１３の厚さより大きいことが好ましい。
【００３７】
図１３は、本実施形態の変形例を示す図１０に対応する断面図である。同図に示す変形例は、下面側端子２７が、電池１０の下面に取り付けられるのではなく、ムーブメント本体７の第１回路基板４１に取り付けられている点が、先の実施形態と異なっている。この場合、下面側端子２７は、第１回路基板４１から上面側に突出し、電池１０の下面に接触して導通する。下面側端子２７は、半田付け、ロウ付け、ネジ止め等のいかなる方法で第１回路基板４１に取り付けられていてもよい。あるいは、弾性変形する金属部材、例えばばね、を単に第１回路基板４１と電池１０の下面との間に配置するようにしてもよい。
【００３８】
このような構成では、下面電極２５と導通する部材が電池パッケージ８の下面、すなわち、ホルダー１１の下面に突出することがないため、電池パッケージ８の取り扱い時に短絡する危険がさらに低減される。また、電池１０の下面にリード板２６を取り付けないため、ムーブメント全体をリード板２６の厚み分薄くすることができる。あるいは、ムーブメント全体の厚さを変更しない場合には、リード板２６の厚み分の隙間を利用して、電池収容部２０と第１回路基板４１との間で左右の回路支持台４２を接続し、１つの部材とすることができる。
【００３９】
図１４は、本実施形態のさらなる変形例を示す図１０に対応する断面図である。なお、本図においては、部材間の関係を示すため便宜的に図１１に対応する断面図を併せて図示している。
【００４０】
本変形例では、押え１２が電池パッケージ押え１３を兼ねている。かかる構造により押え１２と電池パッケージ押え１３を別々の部材として製造し組み立てる必要がなく、構造が簡略化される。同時に、押え１２には図１１に示す上面側端子３７は設けられず、替わりに、上面側端子３７はムーブメント本体７の第２回路基板４３に取り付けられる。かかる上面側端子３７は、第２回路基板４３から上面側に突出し、上面側導通用開口１８を貫通し、押え１２の下面に弾性的に接触して導通する。上面側端子３７は、半田付け、ロウ付け、ネジ止め等のいかなる方法で第２回路基板４３に取り付けられていてもよい。あるいは、弾性変形する金属部材、例えばばね、を単に第２回路基板４３と押え１２の下面との間に配置するようにしてもよい。押え１２は、図１４より明らかなように、上面側導通用開口１８を上面より平面的に覆っている。
【００４１】
このような構成では、上面電極２４と導通する部材が電池パッケージ８の下面、すなわち、ホルダー１１の下面に突出することがないため、電池パッケージ８の取り扱い時に短絡する危険がさらに低減される。
【００４２】
以上説明した実施形態及び変形例に示した具体的な構成は例示であり、当業者は種々の変形を行ってもよい。例えば、ムーブメント本体７の断面構成を変更してもよいし、図示した各種部材の具体的な形状はさまざまに変形して差し支えない。
【００４３】
なお、以上説明した本発明の実施形態の一つの観点においては、押えは、電池の側面に接触して導通する側面導通部を有する。
【００４４】
電池は使用状況によって膨張・収縮などの寸法変化を起こすが、このようにすれば、ボタン型電池において寸法変化の少ない側面を用いて導通をとるため、接触不良を生じにくい。
【００４５】
また、本発明の実施形態の別の観点においては、押えは、電池の上面中央部を露出させる。
【００４６】
このようにすれば、ボタン型電池の寸法変化が最も大きい上面中央部を拘束しないため、ボタン型電池を確実に保持できる。
【００４７】
また、本発明の実施形態の別の観点においては、電池の下面に取り付けられた、下面側導通用開口を貫通する端子を有する。
【００４８】
このようにすると、ボタン型電池の下面電極に導通する端子のみが露出するから、取り扱い時に短絡する危険性を低減できる。
【００４９】
また、本発明の実施形態の別の観点においては、ムーブメント本体は、下面側導通用開口を貫通する端子を有する。
【００５０】
このようにすると、ムーブメント本体に適正に配置された端子を介さなければボタン型電池の下面側電極にアクセスできないため、取り扱い時に短絡する危険性を低減できる。
【００５１】
また、本発明の実施形態の別の観点においては、ホルダーは、ムーブメント本体に設けられた検査電極を露出させる検査用開口を有し、検査用開口の周囲には凸部が設けられている。
【００５２】
このようにすると、電池パッケージをムーブメント本体から取り外すことなく検査用開口を通して電池の検査が行え、また、検査時に検査電極と電池の上面電極とが短絡する危険性を低減できる。
【００５３】
また、本発明の実施形態の別の観点においては、ホルダーは、外装ケースと厚み方向に弾性的に突き当たる弾性変形部を有する。或いは、ホルダーは、外周面から部分的に突出する凸部により外装ケースと径方向に接触する。
【００５４】
このようにすると、重量のある電池を含む電池パッケージ自体を直接外装ケースに対し固定することでムーブメントの破損を防止できる。
【００５５】
また、本発明の実施形態の別の観点においては、ホルダーは、上面側導通用開口を有し、ムーブメント本体は、上面側導通用開口を貫通し押えに弾性的に接触する端子を有する。
【００５６】
このようにすると、端子が電池パッケージから下面側に突出しないため、取り扱い時に短絡する危険性を低減できる。
【符号の説明】
【００５７】
１  電子時計、２  外装ケース、３  バンド取付部、４  竜頭、５  表示、６  ムーブメント、７  ムーブメント本体、８  電池パッケージ、９  巻芯、１０  電池、１１  ホルダー、１２  押え、１３  電池パッケージ押え、１４  ネジ、１５  製造に関する情報、１６  固定部、１７  接合部、１８  上面側導通用開口、１９  検査用開口、２０  電池収容部、２１  下面側導通用開口、２２  突起、２３  凸部、２４  上面電極、２５  下面電極、２６  リード板、２７  下面側端子、２８  舌部、２９  溶接部、３０  段差、３１  突起貫通穴、３２  孔、３３  側面導通部、３４，３５  ネジ穴、３６  舌部、３７  上面側端子、３８  接地端子、３９  開口、４０  地板、４１  第１回路基板、４２  回路支持台、４３  第２回路基板、４４  ネジパイプ、４５  検査用電極、４６  フランジ、４７  弾性変形部、４８  凸部、４９  薄肉部、５０  突起、５１  胴、５２  裏蓋、５３  ネジ突起。
【図１】
0005943646.tif 000002
【図２】
0005943646.tif 000003
【図３】
0005943646.tif 000004
【図４】
0005943646.tif 000005
【図５】
0005943646.tif 000006
【図６】
0005943646.tif 000007
【図７Ａ】
0005943646.tif 000008
【図７Ｂ】
0005943646.tif 000009
【図８】
0005943646.tif 000010
【図９】
0005943646.tif 000011
【図１０】
0005943646.tif 000012
【図１１】
0005943646.tif 000013
【図１２】
0005943646.tif 000014
【図１３】
0005943646.tif 000015
【図１４】
0005943646.tif 000016